(57)【要約】【課題】蓋を浴槽本体上にスライド可能に配置することで、蓋の開閉動作が容易に行えて使い勝手を向上させ得る蓋付き浴槽を提供する。【解決手段】浴槽本体上に蓋が載置可能に配置される蓋付き浴槽であって、前記蓋が折り畳み可能に構成されると共に、蓋の一端側を前記浴槽本体の背足方向の一端側に取り付ける取付手段と、蓋の他端側を一端側方向に押すことで該蓋を折り畳みつつスライドさせるスライド手段と、を備えることを特徴とする。また、前記折り畳んだ蓋を浴槽本体上に立設保持する保持手段を備える。【選択図】  図３
2008228977.tif 000002
【特許請求の範囲】
【請求項１】
浴槽本体上に蓋が載置可能に配置される蓋付き浴槽であって、前記蓋が折り畳み可能に構成されると共に、蓋の一端側を前記浴槽本体の背足方向の一端側に取り付ける取付手段と、蓋の他端側を一端側方向に押すことで該蓋を折り畳みつつスライドさせるスライド手段と、を備えることを特徴とする蓋付き浴槽。
【請求項２】
前記折り畳んだ蓋を浴槽本体上に立設保持する保持手段を備えることを特徴とする請求項１に記載の蓋付き浴槽。
【発明の詳細な説明】
【技術分野】
【０００１】
本発明は、システムバスルーム等の浴室に設置される浴槽に係り、特にスライド可能な蓋を備えた蓋付き浴槽に関する。
【背景技術】
【０００２】
一般的に、システムバスルーム等の浴室に設置される浴槽には、その上縁開口部を覆うための蓋が配置されている。従来、この種の蓋としては、例えば特許文献１に示すように、２枚に分割された蓋体を互いに接する状態で合わせて配置する合わせ蓋や、例えば特許文献２に示すように、複数の蓋体が可撓部を介して巻回可能に構成された巻き蓋等が使用されている。
【特許文献１】特開２００６−１５００３１号公報
【特許文献２】特開２００６−２３９０３５号公報
【発明の開示】
【発明が解決しようとする課題】
【０００３】
しかしながら、特許文献１に開示の合わせ蓋においては、蓋が配置された状態で入浴者が浴槽に入る場合に、２分割された各蓋体を一々持ち上げて浴槽から外す必要があり、この開放動作が面倒である。また、特許文献２に開示の巻き蓋においては、巻回した蓋を浴槽本体上に立て掛けることが多いため、この立て掛け作業が面倒となり、いずれの蓋においても浴槽の上縁開口部を開放したり覆ったりする蓋の開閉動作や立て掛け作業が面倒で使い勝手が劣ることになる。
【０００４】
本発明は、このような事情に鑑みてなされたもので、その目的は、蓋を浴槽本体上にスライド可能に配置することで、蓋の開閉動作が容易に行えて使い勝手を向上させ得る蓋付き浴槽を提供することにある。
【課題を解決するための手段】
【０００５】
かかる目的を達成すべく、本発明のうち請求項１に記載の発明は、浴槽本体上に蓋が載置可能に配置される蓋付き浴槽であって、前記蓋が折り畳み可能に構成されると共に、蓋の一端側を前記浴槽本体の背足方向の一端側に取り付ける取付手段と、蓋の他端側を一端側方向に押すことで該蓋を折り畳みつつスライドさせるスライド手段と、を備えることを特徴とする。また、請求項２に記載の発明は、前記折り畳んだ蓋を浴槽本体上に立設保持する保持手段を備えることを特徴とする。
【発明の効果】
【０００６】
本発明のうち請求項１に記載の発明によれば、折り畳み可能に構成された蓋を浴槽本体の背足方向の一端側に取り付ける取付手段と、蓋の他方側を一方側方向にスライドさせるスライド手段を備えるため、スライド手段により蓋を持ち上げることなく浴槽本体上で折り畳みつつスライドさせることができ、蓋の開閉動作が容易に行えて浴槽の使い勝手を向上させることができる。
【０００７】
また、請求項２に記載の発明によれば、請求項１に記載の発明の効果に加え、折り畳んだ状態の蓋が保持手段で浴槽本体上に保持されるため、折り畳んだ蓋を安定保持することができる。
【発明を実施するための最良の形態】
【０００８】
以下、本発明の実施の形態を図面に基づいて詳細に説明する。
図１〜図６は、本発明に係る蓋付き浴槽の一実施形態を示し、図１がその蓋の斜視図、図２が蓋の一端側裏面の斜視図、図３が蓋の浴槽への配置状態の縦断面図、図４が浴槽の平面図、図５が蓋の開放状態の縦断面図、図６が蓋のスライド手段の変形例を示す斜視図である。なお、本明細書及び特許請求の範囲において、「浴槽本体の背足方向」とは、浴槽内の入浴者の背中や足が向く方向をいうものとする。
【０００９】
図１及び図２に示すように、本発明の浴槽に使用される蓋１は、樹脂製の２枚の蓋体１ａ、１ｂを有し、この蓋体１ａ、１ｂが折り曲げ部２で連結されることで、平板状態と折り畳み状態とに変更可能に構成されている。そして、蓋１の長手方向の一端側である蓋体１ａの端部両側面には、取付孔３がそれぞれ設けられると共に、蓋１の他端側である蓋体１ｂの端部の裏面の両隅部には、ローラ４がそれぞれ回転自在に配設されている。
【００１０】
前記取付孔３は、図３に示すように、浴槽本体としての浴槽５の上縁フランジ５ａで背足方向の一端側に立設状態で設けられた取付板６と共に本発明の取付手段を構成し、また、前記ローラ４は、図４に示す浴槽５の上縁フランジ５ａの手前側と奥側に形成されたガイドとしての一対の溝７と共に本発明のスライド手段を構成している。なお、浴槽５の上縁フランジ５ａに形成されるガイドは、溝７に限らず図４の一点鎖線ａで示すように、一条もしくは二条の突条８等で形成することも可能である。
【００１１】
そして、図３に示すように、浴槽５の上縁フランジ５ａに設けられた取付板６に、蓋体１ａの取付孔３が軸としてのピン９で回転自在に取り付けられると共に、蓋体１ｂのローラ４が溝７内に嵌挿されることで、蓋１が浴槽５上に載置状態で配置されている。なお、ローラ４は、例えばローラケース１０に回転自在に取り付けられ、このローラケース１０が蓋体１ｂの端部裏面の両隅部にそれぞれ埋設状態で配設されて、ローラ４の下端外周面が蓋体１ｂの裏面から所定寸法突出するように設定されている。
【００１２】
この蓋体１ａが浴槽５の上縁フランジ５ａに取り付けられ、蓋体１ａ、１ｂが上縁フランジ５ａ上に載置された状態で、図３の実線で示すように、２枚の蓋体１ａ、１ｂが平板状態にされて、浴槽５の上縁開口部５ｂが蓋１で覆われた状態となる。
【００１３】
一方、入浴者が浴槽５に入る場合は、平板状態の蓋１の蓋体１ｂの端部を手で持って蓋体１ａ方向に矢印イの如く押すことで、蓋体１ａはピン９を中心に回動して図３の二点鎖線で示すように、折り曲げ部２が上方に持ち上がり、この状態からさらに押すことにより、図３の一点鎖線で示すように、２枚の蓋体１ａ、１ｂが折り曲げ部２で略完全に折り畳まれて浴槽５の上縁フランジ５ａ上に立設した状態となる。この立設状態を維持できる蓋体１ａ、１ｂの折り畳み角度は、蓋１の折り曲げ部２の剛性を変えることで調整することができる。この蓋１の立設状態において、浴槽５の上縁開口部５ｂが開放されて、浴槽５に入浴者が入ることができる。
【００１４】
また、例えば入浴が終了して蓋１で浴槽５の上縁開口部５ｂを覆う場合は、蓋体１ｂの下部を手で持って反矢印イ方向に引っ張ることで、折り曲げ部２を開きつつ２枚の蓋体１ａ、１ｂを平板状態として浴槽５上に載置する。なお、蓋体１ｂの端部に図１及び図３の二点鎖線で示すように把手１１を取り付け、この把手１１を持って蓋体１ｂを押したり引っ張ったりできるように構成して、蓋１の開閉動作をし易くすることもできる。つまり、前記蓋１の場合、折り畳み可能な２枚の蓋体１ａ、１ｂの一方を他方側に押したり引っ張ったりすることで、２枚の蓋体１ａ、１ｂがスライド動作と折り畳み動作を行い、浴槽５の上縁開口部５ｂが開放されたり蓋１で覆われることになる。
【００１５】
なお、図５に示すように、蓋１が立設される浴槽５の一端側の浴室壁面１２にフック１３（係止手段）を回動可能に取り付け、蓋１を立設状態とした際にフック１３で２枚の蓋体１ａ、１ｂの連結部である折り曲げ部２部分を係止させるようにしても良い。このように構成すれば、立設状態の２枚の蓋体１ａ、１ｂを浴槽５の上縁フランジ５ａ上に安定支持できる。なお、係止手段はフックに限らず、ローラ４に設けられたロック機構等を使用することもできる。
【００１６】
また、上記例では、スライド手段として回転自在なローラ４と溝７や突条８等のガイドを使用したが、例えばローラ４の代わりに、図６（ａ）（ｂ）に示す摩擦係数が小さく滑りやすい易摺動部材１４や突条部材１５を使用して、浴槽５の平坦な上縁フランジ５ａ上をそのままスライドさせる構成とすることもできる。
【００１７】
このように、上記実施形態の浴槽５にあっては、折り畳み可能に構成された蓋体１ａ、１ｂのうち、蓋体１ａの端部を浴槽５の背足方向の一端側に取り付け、蓋体１ｂにローラ４を配設しているため、蓋１ｂを蓋体１ａ方向に押したり引っ張ったりすることで、各蓋体１ａ、１ｂを折り畳みつつスライドさせて浴槽５の上縁開口部５ａを開閉でき、蓋１を従来のように持ち上げることなく浴槽５上で移動させることができる。このため、蓋１の開放動作や覆う動作を容易に行うことができ、浴槽５の使い勝手を向上させることが可能となる。
【００１８】
特に、スライド手段として回転自在なローラ４と浴槽５の上縁フランジ５ａに設けた溝７や突条８等のガイドを使用しているため、蓋１のスライド動作に大きな力を必要とすることなくスムーズに行うことができる。このため、高齢者や子供であっても蓋１の開閉動作を簡単に行うことができ、使い勝手により優れた蓋付きの浴槽５を得ることが可能となる。
【００１９】
また、折り畳んだ状態の蓋体１ａ、１ｂをフック１３で浴槽５の上縁フランジ５ａに保持する構成を採用することで、入浴時に折り畳んだ蓋体１ａ、１ｂを安定した状態で保持することができる。さらに、スライド手段として、易摺動部材１４や突条部材１５を採用することで、スライド手段の蓋１への取り付けを例えば両面テープや接着剤等で行うことができて、その作業が簡略化されて安価な蓋１を得ることができる。また、浴槽５の上縁フランジ５ａに溝７や突条８を設けない構造を採用することで、浴槽５の構成が簡略化されて安価な蓋１付き浴槽５が得られると共に、既存の浴槽への適用を容易に行うことが可能となる。
【００２０】
図７及び図８は、本発明に係る蓋付き浴槽の他の実施形態を示す、蓋の斜視図及びその配置状態の概略縦断面図である。以下、上記実施形態と同一部位には同一符号を付して説明する。この実施形態の特徴は、蓋１７を、図では６枚の複数の蓋体１７ａ〜１７ｆを折り曲げ部１８で連結した蛇腹状とし、蓋１７の一端側の蓋体１７ａの端部側面に設けた取付孔３を浴槽５の上縁フランジ５ａに設けた取付板６にピン９で回動自在に取り付けると共に、蓋１７の他端側の蓋体１７ｆの端部における裏面の両隅部にそれぞれローラ４を回転自在に配設した点にある。
【００２１】
この実施形態の蓋１７においても、蓋体１７ｆの端部を蓋体１７ａ方向に矢印イの如く押すことで、図８の二点鎖線で示すように、各蓋体１７ａ〜１７ｆが折り畳まれて、浴槽５の上縁開口部５ｂが開放され、上記実施形態の蓋１と同様の作用効果を得ることができる。また、蓋体の枚数は、浴槽４の大きさや形状等に応じて適宜に変更することができる。
【００２２】
なお、本発明は、上記した各実施形態に限定されるものではなく、例えば図７及び図８に示す実施形態に、図５や図６の構成を採用する等、各実施形態を適宜に組み合わせることができる。また、上記実施形態における、蓋の形状や浴槽の形状、蓋の端部の取付手段の構成等も一例であって、例えば取付手段として、着脱可能なフックを使用し蓋全体を取り外し可能に構成して、蓋や浴槽の清掃を容易にする等、本発明に係る各発明の要旨を逸脱しない範囲において適宜に変更することができる。
【産業上の利用可能性】
【００２３】
本発明は、システムバスルーム等の浴室に設置される浴槽に限らず、例えば在来工法の浴室に設置される浴槽や各種施設の浴室に設置される浴槽にも利用できる。
【図面の簡単な説明】
【００２４】
【図１】本発明に係る蓋付き浴槽の蓋の一実施形態を示す斜視図
【図２】同その一端側裏面を示す斜視図
【図３】同蓋の配置状態の縦断面図
【図４】同浴槽の平面図
【図５】同蓋の保持状態の縦断面図
【図６】同スライド部材の変形例を示す斜視図
【図７】本発明に係る蓋付き浴槽の蓋の他の実施形態を示す斜視図
【図８】同その蓋の配置状態の概略縦断面図
【符号の説明】
【００２５】
１・・・蓋、１ａ、１ｂ・・・蓋体、２・・・折り曲げ部、３・・・取付孔、４・・・ローラ、５・・・浴槽、５ａ・・・上縁フランジ、５ｂ・・・上縁開口部、６・・・取付板、７・・・溝、８・・・突条、９・・・ピン、１０・・・ローラケース、１１・・・把手、１２・・・浴室壁面、１３・・・フック、１４・・・易摺動部材、１５・・・突条部材、１７・・・蓋、１７ａ〜１７ｆ・・・蓋体、１８・・・折り曲げ部。
【図１】
2008228977.tif 000003
【図２】
2008228977.tif 000004
【図３】
2008228977.tif 000005
【図４】
2008228977.tif 000006
【図５】
2008228977.tif 000007
【図６】
2008228977.tif 000008
【図７】
2008228977.tif 000009
【図８】
2008228977.tif 000010